(57)【要約】【課題】左右のブラケット幅を自由に変えることのできる切断装置を提供することを課題とする。【解決手段】切断装置１０は、走行車体又は走行車体に牽引さえる作業部に車幅方向に水平に渡されているクロスメンバー１１と、このクロスメンバー１１に水平移動可能に取付けられた左筒体１２と、この左筒体１２から一体的に下方へ延びている左ブラケット１３と、クロスメンバー１１に水平移動可能に取付けられた右筒体１４、この右筒体１４から一体的に下方へ延びている右ブラケット１５と、これらの左右のブラケット１３、１５の下部に水平に渡されたナイフ１６からなる。【効果】左筒体１２と右筒体１４とが接近するように、左ブラケット１３と右ブラケット１５を車幅方向へ移動する。想像線で示す位置に到達したら、ロックボルト２３、２４を締め、固定ボルト１７、１７を締める。ナイフ１６を切断しないで、左右のブラケット１３、１５の間隔を変更することができる。【選択図】図１
2008253178.tif 000002
【特許請求の範囲】
【請求項１】
地中において玉葱などの農作物の根を切断する切断装置であって、この切断装置は、走行車体又はこの走行車体に牽引される作業部に、車幅方向へ移動可能に設けられている左ブラケット及び右ブラケットと、これらのブラケットの下部に開けられた刃通し穴と、これらの刃通し穴を貫通する形態で前記左右のブラケットに支持されるナイフと、このナイフを前記左右のブラケットに固定する固定具とからなることを特徴とする農作物の切断装置。
【請求項２】
前記ナイフは、刃が全長に設けられた両刃ナイフであることを特徴とする請求項１記載の農作物の切断装置。
【請求項３】
前記両刃ナイフの後方側の刃と、前記刃通し穴との間に、硬質樹脂、硬質ゴム又は軽金属からなるピースを介在させたことを特徴とする請求項２記載の農作物の切断装置。
【発明の詳細な説明】
【技術分野】
【０００１】
本発明は、地中において玉葱などの農作物の根を切断する切断装置に関する。
【背景技術】
【０００２】
農作物には、種まき（又は苗植え）から収穫までに多様の世話を施す必要がある。この世話は、農作業では管理と呼ばれる。この管理に、地中において玉葱などの農作物の根を切断する作業が含まれる。
玉葱の根切り作業を、効率よく行う技術が提案されている（例えば、特許文献１参照。）。
【特許文献１】実公平４−４４９５号公報（第１図）
【０００３】
特許文献１を次図に基づいて説明する。
図６は従来の玉葱の根切り作業機の側面図であり、玉葱の根切り作業機１００は、後輪１０１及び前輪１０２を備えた乗用四輪型の走行車体１０３の前部に、昇降リンク１０４を介してブラケット１０５を設け、このブラケット１０５に玉葱の葉や茎を掻き分ける葉分け器１０６及び前部補助輪１０７を備えている。さらには、ブラケット１０５からサブブラケット１０８を下へ延ばし、このサブブラケット１０８にナイフ１１０が設けられている。
【０００４】
図７は従来のナイフの斜視図であり、ナイフ１１０は、水平帯板部１１１と、この水平帯板部１１１の両端から各々上へ延ばした縦帯板部１１２、１１３とからなる。
図８は図７の８−８線断面図であり、水平帯板部１１１には第１の刃１１４と第２の刃１１５が設けられている。これらの刃１１４、１１５には、焼入れを施す。１１６、１１６は焼入れ層である。焼入れ層１１６、１１６があるため、硬度が高まる。第１の刃１１４又は第２の刃１１５は、石などの硬いものに当たっても刃が欠ける心配はない。
【０００５】
図９は従来のナイフの使用形態を説明する図であり、（ａ）、（ｂ）に、ナイフ１１０Ｂ、１１０Ｃで複数の玉葱１２１の根を切断する様子が示される。
（ａ）に示すように、玉葱１２１が、畝間Ｌ１で植えられている。Ｌ１は例えば、３００ｍｍである。縦帯板部１１２、１１３は玉葱１２１と玉葱１２１との中間に配置する必要がある。そのため、ナイフ１１０Ｂの幅は、Ｌ１の３倍に相当する９００ｍｍに設定される。
【０００６】
一方、苗植機の都合で、（ｂ）に示すように、玉葱１２１の畝間が狭いＬ２となることがある。Ｌ２は例えば、２７０ｍｍである。この場合は、ナイフ１１０Ｃの幅は、Ｌ２の３倍に相当する８１０ｍｍに設定される。
【０００７】
ナイフ１１０は焼きが入っているため、切断し、溶接して幅を９００ｍｍから８１０ｍｍに変更することはできない。溶接熱により焼きが戻ってしまうからである。
したがって、従来は、幅が異なる２種類以上のナイフ１１０Ｂ、１１０Ｃを常備しておく必要があった。これでは、ナイフの調達費用が嵩むと共に倉庫での保管スペースが増大するため、対策が求められている。
【発明の開示】
【発明が解決しようとする課題】
【０００８】
本発明は、幅を自由に変えることのできる切断装置を提供することを課題とする。
【課題を解決するための手段】
【０００９】
請求項１に係る発明は、地中において玉葱などの農作物の根を切断する切断装置であって、この切断装置は、走行車体又はこの走行車体に牽引される作業部に、車幅方向へ移動可能に設けられている左ブラケット及び右ブラケットと、これらのブラケットの下部に開けられた刃通し穴と、これらの刃通し穴を貫通する形態で前記左右のブラケットに支持されるナイフと、このナイフを前記左右のブラケットに固定する固定具とからなることを特徴とする。
【００１０】
請求項２に係る発明では、ナイフは、刃が全長に設けられた両刃ナイフであることを特徴とする。
【００１１】
請求項３に係る発明は、両刃ナイフの後方側の刃と、刃通し穴との間に、硬質樹脂、硬質ゴム又は軽金属からなるピースを介在させたことを特徴とする。
【発明の効果】
【００１２】
請求項１に係る発明では、ナイフに対して左右のブラケットが車幅方向に移動できる。ナイフは１種類でよい。畝間に合わせて左右のブラケットの位置を変更するだけでよい。
ナイフの調達費用が抑えられると共に倉庫での保管スペースを最小にすることができる。
【００１３】
請求項２に係る発明では、ナイフは、刃が全長に設けられた両刃ナイフである。両刃であるから、一方の刃が痛んだら、他方の刃を使えばよく、使用可能期間に２倍になる。
【００１４】
請求項３に係る発明は、刃と刃通し穴との間に、硬質樹脂、硬質ゴム又は軽金属からなるピースを介在させた。刃が直接的に刃通し穴に当たると、刃が欠けたり、刃のテーパ作用で、刃通し穴が大きくなる虞がある。ピースを介在させ、このピースにクッション性を持たせれば、刃が欠ける心配はなく、刃通し穴が大きくなることもない。
【発明を実施するための最良の形態】
【００１５】
本発明を実施するための最良の形態を添付図に基づいて以下に説明する。
図１は本発明に係る切断装置の正面図であり、切断装置１０は、走行車体又は走行車体に牽引さえる作業部に車幅方向に水平に渡されているクロスメンバー１１と、このクロスメンバー１１に水平移動可能に取付けられた左筒体１２と、この左筒体１２から一体的に下方へ延びている左ブラケット１３と、クロスメンバー１１に水平移動可能に取付けられた右筒体１４、この右筒体１４から一体的に下方へ延びている右ブラケット１５と、これらの左右のブラケット１３、１５の下部に水平に渡されたナイフ１６からなる。
【００１６】
図２はブラケットの下部の断面図であり、左右のブラケット１３、１５の下部に、ナイフ１６を固定する固定具としての固定ボルト１７が設けられている。固定具はクランパでもよく、ボルトに限定はしない。
【００１７】
図３は切断装置の分解斜視図であり、左のブラケット１３の下部には、台形形状の刃通し穴１８が開けられ、右のブラケット１５下部には、台形形状の刃通し穴１９が開けられ、これらの刃通し穴１８、１９に台形断面を呈するナイフ１６が挿入される。
ナイフ１６は、帯鋼の両エッジに刃２１、２２を形成した両刃ナイフであり、刃２１、２２は全長に亘って設けられた総刃ナイフであり、焼きが入れられている。したがって、ナイフ１６を切断することはできない。
【００１８】
以上の構成からなる切断装置の作用を次に述べる。
図１において、幅が３×Ｌ１（例えば９００ｍｍ）であったものを３×Ｌ２（例えば８１０ｍｍ）に変更するには、先ず、左筒体１２に付属したロックボルト２３を緩め、左ブラケット１３に付属した固定ボルト１７を緩め、右筒体１４に付属したロックボルト２４を緩め、右ブラケット１５に付属した固定ボルト１７を緩める。
【００１９】
次に、左筒体１２と右筒体１４とが接近するように、左ブラケット１３と右ブラケット１５を車幅方向へ移動する。想像線で示す位置に到達したら、ロックボルト２３、２４を締め、固定ボルト１７、１７を締める。このように、ナイフ１６を切断しないで、左右のブラケット１３、１５の間隔を変更することができる。
【００２０】
ナイフ１６に対して左右のブラケット１３、１５が車幅方向に移動できる。ナイフ１６は１種類でよい。畝間に合わせて左右のブラケット１３、１５の位置を変更するだけでよい。ナイフ１６の調達費用が抑えられると共に倉庫での保管スペースを最小にすることができる。
また、ナイフ１６は片刃、両刃のいずれであってもよい。しかし、両刃であれば、一方の刃２１又は２２が痛んだら、他方の刃２２又は２１を使えばよく、使用可能期間に２倍になる。
【００２１】
次に本発明の別実施例を説明する。
図４はブラケットの変更例を示す斜視図であり、刃通し穴２５は、半台形部２６と角穴部２７とで構成する。角穴部２７は後側とする。角穴部２７には、硬質樹脂、硬質ゴム又は軽金属からなるピース２８を嵌める。このピース２８には、刃２１、２２に対応した形状の半台形部２９が設けられている。
【００２２】
左のブラケット１３の下部に設けられている刃通し穴２５の構造を説明した。図面は省略するが、右のブラケットに設ける刃通し穴も同じ構造である。
【００２３】
図５は図４の作用説明図であり、角穴部２７にピース２８をセットして、抑えボルト３１で固定する。そして、ナイフ１６を図面表裏方向に移動させることで、刃通し穴２５に挿入し、固定ボルト１７で固定する。
農作業中には、ナイフ１６に矢印（１）の力が加わる。ピース２８は矢印（１）の力を受けるが、硬質樹脂、硬質ゴム又は軽金属で構成されており、力を矢印（２）のように分散して左ブラケット１３に伝える。
【００２４】
図３において、後方の刃２２が直接的に刃通し穴２５に当たると、刃２２が欠けたり、刃２５のテーパ作用で、刃通し穴２５が大きくなる虞がある。この点、図５のように、ピース２８を介在させ、このピース２８にクッション性を持たせれば、刃２２が欠ける心配はなく、刃通し穴２５が大きくなることもない。
【００２５】
尚、本発明の切断装置は、玉葱の根の切断作業に好適であるが、ビートなど他の農作物の根の切断作業に供することもできる。また、玉葱の根の切断作業に好適であるが、ビートなど他の農作物の根の切断作業に供することもできる。
【産業上の利用可能性】
【００２６】
本発明の切断装置は、玉葱の根の切断作業に好適である。
【図面の簡単な説明】
【００２７】
【図１】本発明に係る切断装置の正面図である。
【図２】ブラケットの下部の断面図である。
【図３】切断装置の分解斜視図である。
【図４】ブラケットの変更例を示す斜視図である。
【図５】図４の作用説明図である。
【図６】従来の玉葱の根切り作業機の側面図である。
【図７】従来のナイフの斜視図である。
【図８】図７の８−８線断面図である。
【図９】従来のナイフの使用形態を説明する図である。
【符号の説明】
【００２８】
１０…切断装置、１１…走行車体又はこの走行車体に牽引される作業部に渡されたクロスメンバー、１３…左ブラケット、１５…右ブラケット、１６…ナイフ、１７…固定具（固定ボルト）、１８、１９、２５…刃通し穴、２１、２２…刃、２８…ピース。
【図１】
2008253178.tif 000003
【図２】
2008253178.tif 000004
【図３】
2008253178.tif 000005
【図４】
2008253178.tif 000006
【図５】
2008253178.tif 000007
【図６】
2008253178.tif 000008
【図７】
2008253178.tif 000009
【図８】
2008253178.tif 000010
【図９】
2008253178.tif 000011